(57)【要約】【課題】  近年段々と薄くなっているＬＣＤのバックライト部分とヒンジ機構の厚さの違いにより生じるデッドスペースに、薄型化が進むカメラ本体には配置できないような背の時計用電池を配置させることにより、そのスペースを有効利用する。【解決手段】  本発明による電子カメラは、カメラ本体に対して回動可能に保持するヒンジ機構を介して前記カメラ本体に取り付けられた画像表示装置を有し、前記画像表示装置は表示窓が設けられた第一の外装カバーと該第一の外装カバーと対抗する位置に配置されている第二の外装カバーとを有し、前記第一の外装カバーと前記第二の外装カバーとの間に前記表示窓に映像を表示する画像表示手段と該画像表示手段と接続されて配置してある電気配線基板を具備しており、時計用電池を前記電気配線基板上に配置したことを特徴とする。【選択図】        図１
2007036792.tif 000002
【特許請求の範囲】
【請求項１】
カメラ本体に対して回動可能に保持するヒンジ機構を介して前記カメラ本体に取り付けられた画像表示装置を有し、前記画像表示装置は表示窓が設けられた第一の外装カバーと該第一の外装カバーと対抗する位置に配置されている第二の外装カバーとを有し、前記第一の外装カバーと前記第二の外装カバーとの間に前記表示窓に映像を表示する画像表示手段と該画像表示手段と接続されて配置してある電気配線基板を具備している電子カメラにおいて、時計用電池が前記電気配線基板上に配置されていることを特徴とする電子カメラ。
【請求項２】
請求項１に記載の電子カメラであって、前記電気配線基板上から前記第二の外装カバーまでの高さが前記ヒンジ機構の厚みに依存し、前記時計用電池は前記電気配線基板上から前記第二の外装カバーまでの高さに略一致することを特徴とする電子カメラ。
【発明の詳細な説明】
【技術分野】
【０００１】
本発明は電子カメラに関し、特に映像表示装置が回動可能な電子カメラに関するものである。
【背景技術】
【０００２】
近年、カメラ本体の小型化に伴い、本体内部の部品や電子素子の配置方法、デッドスペースの利用法などが従来より考えられてきた（例えば、特許文献１参照）。そんな中、ビデオカメラやデジタルカメラなどの電子カメラにおいて、記録時にファインダーとして撮影している画像を表示し、また再生時に記録している画像を表示する表示装置になる液晶表示装置（以下ＬＣＤ）等を用いた画像表示装置がついているものが一般化してきている。
【０００３】
また、環境問題の観点から時計電池などのバックアップ電池はリサイクルされることが多くなっている。
【特許文献１】特開平１１−００８７８６号公報
【発明の開示】
【発明が解決しようとする課題】
【０００４】
カメラ本体の小型化に伴い背の高い電子素子はその配置場所が限定されるだけでなく、その周辺にデッドスペースを生むため、その配置方法やレイアウトはカメラ設計上の大きな問題点となっていた。また近年、画像表示装置においてＬＣＤは段々薄くなってきているが、メカ的強度や機構的な問題からヒンジ機構の厚みは従来と変わらず、そこにはデッドスペースが生まれていた。
【０００５】
さらに、リサイクルのために時計電池等をカメラ本体から取り出す際には、作業者がストロボ等の高電圧部などに触れる危険性があり、作業者の安全を確保するために特別な作業手順が必要であった。
【０００６】
本発明は、上記問題に鑑み、画像表示装置内のデッドスペースを有効に活用し、部品を交換する際に作業者が安全かつ容易に交換作業を行える電子カメラを提供することを目的とする。
【課題を解決するための手段】
【０００７】
前記課題を達成するために、本発明の請求項１の発明による電子カメラは、カメラ本体に対して回動可能に保持するヒンジ機構を介して前記カメラ本体に取り付けられた画像表示装置を有し、前記画像表示装置は表示窓が設けられた第一の外装カバーと該第一の外装カバーと対抗する位置に配置されている第二の外装カバーとを有し、前記第一の外装カバーと前記第二の外装カバーとの間に前記表示窓に映像を表示する画像表示手段と該画像表示手段と接続されて配置してある電気配線基板を具備しており、時計用電池を前記電気配線基板上に配置したことを特徴とする。
【０００８】
また、請求項２の発明は、請求項１に記載の電子カメラで、前記電気配線基板上から前記第二の外装カバーまでの高さが前記ヒンジ機構の厚みに依存し、前記時計用電池は前記電気配線基板上から前記第二の外装カバーまでの高さに略一致することを特徴とする。
【発明の効果】
【０００９】
請求項１の発明の電子カメラによれば、カメラ本体に対して回動可能に保持するヒンジ機構を介して前記カメラ本体に取り付けられた画像表示装置を有し、前記画像表示装置は表示窓が設けられた第一の外装カバーと該第一の外装カバーと対抗する位置に配置されている第二の外装カバーとを有し、前記第一の外装カバーと前記第二の外装カバーとの間に前記表示窓に映像を表示する画像表示手段と該画像表示手段と接続されて配置してある電気配線基板を具備しており、時計用電池を前記電気基板上に配置したので、前記画像表示装置のデッドスペースを有効活用することができ、さらに前記カメラ本体のデッドスペースをなくし前記カメラ本体を小型化することができるようになった。
【００１０】
また、リサイクルのために前記時計電池を作業者が取り出す際にも、前記カメラ本体に搭載されているストロボ等の高電圧部に触れてしまうといった危険を冒すことなく安全に作業を行うことができ、さらに前記第二の外装カバーをはずすだけで交換することができるので、特別な作業手順を必要とせず簡単に交換することができるようになった。
【００１１】
また、請求項２の発明の電子カメラによれば、請求項１に記載の電子カメラで、前記電気配線基板上から前記第二の外装カバーまでの高さが前記ヒンジ機構の厚みに依存し、前記時計用電池は前記電気配線基板上から前記第二の外装カバーまでの高さに略一致することとしたので、ヒンジ機構の厚みは変わらないままで、ＬＣＤだけが薄くなることにより生まれていたデッドスペースを有効活用することができるようになった。
【発明を実施するための最良の形態】
【００１２】
次に、添付図面を参照しながら本発明の電子カメラの実施の形態について説明する。
【実施例１】
【００１３】
まず最初に、本実施の形態の電子カメラ１００の断面図を図１に示す。
【００１４】
１０２はＬＣＤ部であり、１１０は時計用電池、１１１は撮像レンズである。
【００１５】
次に本実施の形態の電子カメラのブロック図を図２に示す。
【００１６】
不図示のレンズを通した光がＣＣＤ２０３の撮像面上に結像し、その光がＣＣＤ２０３により光電変換され、その出力が信号処理手段である映像エンジン２０２により信号処理されて記録装置２１３に出力される。
【００１７】
また、記録時に電子ファインダー機能を用いる時と再生時に、映像エンジン２０２部からＬＣＤ２０５やＶＩＤＥＯ  ＯＵＴ端子２０７に映像信号が出力され、ＡＵＤＩＯ  ＯＵＴ端子２０８に出力される。
【００１８】
また、動画撮影時やアノテーションのためにマイク２１２が装備されており、Ａ／Ｄ変換器２１１を通してマイク２１２により入力された音声がＡ／Ｄ変換されてデジタル信号となり、ＣＰＵ２０１に入力されて記録装置２１３に記録される。
【００１９】
再生時には、記録装置２１３からＣＰＵ２０１が読み取った信号を、Ｄ／Ａ変換器２０９に送り、その先につながるスピーカー２１０を鳴らすことにより音声を再生できる。
【００２０】
この他、カメラのＣＰＵ２０１と通信するための通信端子２０６があり、ＵＳＢにより外部機器と通信することができるようになっている。前述のように、記録装置２１３に記録された映像や音声のデジタルデータをＣＰＵ２０１が読み込んで、通信端子２０６を通してパソコンに転送できる。
【００２１】
図３に本実施の形態の電子カメラ１００の外観図示す。
【００２２】
正面中央にレンズ鏡筒１０１が配置されその上にファインダー、ストロボ等が配置されている。
【００２３】
図４〜図６が本実施の形態の電子カメラ１００を後部から見た図であり、図４がＬＣＤ部１０２を収納した状態を表す図である。後側には、画像表示装置を構成するＬＣＤ部１０２がヒンジを介して電子カメラ本体１００に取り付けられており、図５に示すように開くと内側に表示部１０３がある。開いた状態が図５で、ＬＣＤ１０２の表示部１０３が見えるようにして収納した状態が図６である。
【００２４】
また、ヒンジの構成は図７に示すように、後部左端に１０４に示す１軸目のヒンジがあり、ＬＣＤ部１０２が水平方向に１８０°回転するようになされている。第２のヒンジ機構は、１軸目のヒンジ機構１０４の中に、１軸目と垂直になる形で埋め込まれており、１０５に示す軸を中心としてＬＣＤ表示部が下を向く向きに９０°、上を向く向きに１８０°回転する。また、２軸目のヒンジ機構１０５の内部には、図５での状態を０°とした時に、不図示の０°検出スイッチにより検出される。
【００２５】
図８は図１のＬＣＤ部１０２を拡大した図であり、１０６が画像表示装置の表示部側の外装部材（第一の外装カバー）の断面であり、１０２ａがＬＣＤ１０２の断面、１０７ａがＬＣＤに接続されている電気配線基板１０７の断面であり、１０８が画像表示装置後部の外装部材（第二の外装カバー）の断面、１０９がヒンジの板金である。図８のＡに示すように電気配線基板１０７からヒンジの板金１０９の端までの高さの差によりデッドスペースが生じる。よって、図８に示すように前記Ａに示す高さに略一致する時計用電池１１０を前記電気配線基板１０７上に配置することにより、デッドスペースを有効利用することができる。
【００２６】
さらに、リサイクルのために前記時計用電池１１０を作業者が取り出す際にも、前記カメラ本体１００に搭載されているストロボ等の高電圧部に触れてしまうといった危険を冒すことなく安全に作業を行うことができ、さらに前記第二の外装カバー１０８をはずすだけで交換することができるので、特別な作業手順を必要とせず簡単に交換することができるようになった。
【図面の簡単な説明】
【００２７】
【図１】本発明の実施形態の電子カメラの断面図
【図２】本発明の実施形態の電子カメラのブロック図
【図３】本発明の実施形態の電子カメラの正面図
【図４】本発明の実施形態の電子カメラの背面図
【図５】本発明の実施形態の電子カメラの背面図
【図６】本発明の実施形態の電子カメラの背面図
【図７】本発明の実施形態の電子カメラのヒンジの動作を示す図
【図８】本発明の実施形態の電子カメラの断面図
【符号の説明】
【００２８】
１０２  ＬＣＤ部
１０４  ＬＣＤ部のヒンジの第一の軸
１０５  ＬＣＤ部のヒンジの第二の軸
１０７  電気配線基板
１０９  ヒンジの板金
１１０  時計用電池
１１１  撮影レンズ
【図１】
2007036792.tif 000003
【図２】
2007036792.tif 000004
【図３】
2007036792.tif 000005
【図４】
2007036792.tif 000006
【図５】
2007036792.tif 000007
【図６】
2007036792.tif 000008
【図７】
2007036792.tif 000009
【図８】
2007036792.tif 000010